(57)【要約】【課題】ショーケースや商品陳列棚あるいはキャビネットや家具などに設けられる棚板に照明器具としての発光ダイオードを取り付けた照明装置に関する。【解決手段】陳列用の商品を載置する棚板を上下多段に複数配置してなる照明付き陳列棚構造において、棚板が内部に中空部を有しており、該棚板の底壁板が所定間隔で複数の下方照明用の発光素子を保持して棚板の下方を照明可能とすると共に、前記棚板の中空部に棚板の前方に向けて上方照明用の発光素子を揃えて内蔵し、該上方照明用の発光素子の前方に、該上方照明用の発光素子の光を上向きに反射する反射体を内蔵しておき、前記棚板の上壁板には、前記反射体で反射された上方照明用の発光素子の光を通過させる個所に透光部を設けてなることを特徴とする。【選択図】図１
2005285701.tif 000002
【特許請求の範囲】
【請求項１】
陳列用の商品を載置する棚板を上下多段に複数配置してなる照明付き陳列棚構造において、
棚板が上壁板と底壁板とを上下に離間して保持し、上壁板と底壁板の間に中空部を形成しており、
該中空部に所定間隔で複数の下方照明用のＬＥＤ等の発光素子を下向きに保持した基板を内蔵し、
前記棚板の底壁板が、前記下方照明用の発光素子の光を透過させる透明または半透明の透光板からなっていることを特徴とする照明付き商品陳列棚構造。
【請求項２】
陳列用の商品を載置する棚板を上下多段に複数配置してなる照明付き陳列棚構造において、
棚板が上壁板と底壁板とを上下に離間して保持し、上壁板と底壁板の間に中空部を形成しており、
該棚板の底壁板が所定間隔で複数の下方照明用のＬＥＤ等の発光素子を保持して棚板の下方を照明可能とすると共に、
前記棚板の中空部に前記発光素子と接続した配線を通してなることを特徴とする照明付き商品陳列棚構造。
【請求項３】
棚板の中空部に、棚板の前方に向けて上方照明用のＬＥＤ等の発光素子を揃えて内蔵し、該上方照明用の発光素子の前方に、該上方照明用の発光素子の光を上向きに反射する反射体を内蔵しておき、
前記棚板の上壁板には、前記反射体で反射された上方照明用の発光素子の光を通過させる個所に透光部を設けてなることを特徴とする請求項１または２に記載の照明付き商品陳列棚構造。
【請求項４】
反射体が棚板の中空部内に傾斜姿勢で保持された反射板からなっていることを特徴とする請求項２または３に記載の照明付き商品陳列棚構造。
【請求項５】
反射体が棚板に枢着された反射板からなっており、反射板の傾斜角度を調整しうることを特徴とする請求項４に記載の照明付き商品陳列棚構造。
【請求項６】
棚板が、冷蔵または冷凍用ショーケースに上下多段に配置してなることを特徴とする請求項２または３に記載の照明付き商品陳列棚構造。
【発明の詳細な説明】
【技術分野】
【０００１】
本発明は、ショーケースや商品陳列棚あるいはキャビネットや家具などに設けられる棚板に照明器具としての発光ダイオード等の発光素子を取り付けた照明装置に関するものである。
【背景技術】
【０００２】
商品陳列棚の従来の棚照明では、蛍光灯を棚の前面に配置し其の下側を照らす方法が行われており、このため棚の前面にいる人に照明の直接光を当てないように蛍光管の直径程度の遮蔽板が必要であった。
そのため、上段に配置された棚の下面奥側は、遮蔽板が邪魔になって前方から見えず大きな死角が発生している。
そこで、特開２００１−２５０４２０では、蛍光灯に代えて発光素子を棚板に内蔵し、上面に陳列品を保持し、下方を発光素子で照射する棚板の照明装置が開示されている。
この構成によれば、棚板の下方を照明することができるが、棚板の前方上面にまで照明が行き届かない欠点がある。
一方、特開２００１−１１２６５５では収納キャビネットの棚板に内蔵された発光素子を反射体を用いて光を上下に反射、散乱させて照射する構造が知られているが、この場合、棚板の前面上下を照明することはできるが、光が弱くなってしまい、陳列商品を明るく照らすことはできない。
【特許文献１】特開２００１−２５０４２０公報
【特許文献２】特開２００１−１１２６５５公報
【発明の開示】
【発明が解決しようとする課題】
【０００３】
この発明の解決しようとする問題点は、小型の発光素子を用いて発熱を抑えると共に、遮蔽板を不要化し、商品を明るく照らして見渡せることができるようにした多段の棚板からなる照明付きの商品陳列棚構造を提供することにある。
【課題を解決するための手段】
【０００４】
上記課題を解決するために、請求項１の発明では、
陳列用の商品を載置する棚板を上下多段に複数配置してなる照明付き陳列棚構造において、棚板が上壁板と底壁板とを上下に離間して保持し、上壁板と底壁板の間に中空部を形成しており、該中空部に所定間隔で複数の下方照明用のＬＥＤ等の発光素子を下向きに保持した基板を内蔵し、前記棚板の底壁板が、前記下方照明用の発光素子の光を透過させる透明または半透明の透光板からなっていることを特徴とする。
また、請求項２の発明では、
棚板が上壁板と底壁板とを上下に離間して保持し、上壁板と底壁板の間に中空部を形成しており、
該棚板の底壁板が所定間隔で複数の下方照明用のＬＥＤ等の発光素子を保持して棚板の下方を照明可能とすると共に、前記棚板の中空部に前記発光素子と接続した配線を通してなることを特徴とする。
請求項３の発明では、
前記棚板の中空部に、棚板の前方に向けて上方照明用のＬＥＤ等の発光素子を揃えて内蔵し、該上方照明用の発光素子の前方に、該上方照明用の発光素子の光を上向きに反射する反射体を内蔵しておき、
前記棚板の上壁板には、前記反射体で反射された上方照明用の発光素子の光を通過させる個所に透光部を設けてなることを特徴とする。
また、請求項４の発明では、
前記反射体が棚板の中空部内に傾斜姿勢で保持された反射板からなっていることを特徴とする請求項１に記載の照明付き商品陳列棚構造。
更に、請求項５の発明では、
反射体が棚板に枢着された反射板からなっており、反射板の傾斜角度を調整しうることを特徴とする。
請求項６の発明では、
前記棚板が、冷蔵または冷凍用ショーケースに上下多段に配置してなることを特徴とする。
【発明の効果】
【０００５】
本発明の照明付き商品陳列棚構造では、上下多段に配置された棚板が、下方および上方前方を照明することができる。
即ち、上下に並んだ棚板間では、前方を除く中途位置から後方を上段に配置された棚板から下方に向かってＬＥＤ等の下方照明用の発光素子で照明が行われ、前方は下段の棚板から上方照明用のＬＥＤ等の発光素子でライトアップするので、下段の棚板に陳列された商品を前方から奥行き方向まで明るく綺麗に照明することができる。
また、従来の蛍光灯を用いた際の遮蔽板を設ける必要がないので、棚板前方から見る人の視野角の死角を殆ど無くすることができる。
また、発光素子に発光ダイオードを用いた場合、その点灯寿命はフィラメントを使用する照明と比較して極端に長く、また近時は超高輝度であり演色性も向上しているので実用性に優れ、同一照度の場合、蛍光管に比べて発熱量や消費電力を削減しうる。
特に、冷蔵／冷凍ショーケースに利用すれば、冷凍サイクルの負荷を相乗的に削減し、省エネとすることができ、また、−４０℃でも点灯可能であるため冷却による点灯不良が発生しない。
【発明を実施するための最良の形態】
【０００６】
以下に、この発明の照明付き商品陳列棚構造を冷蔵用ショーケースに用いた場合の好適実施例について図面を参照しながら説明する。
【実施例１】
【０００７】
図３に示す冷蔵用ショーケース１は、複数の棚板２を上下に複数段に配置した構成からなっている。
この棚板２は、図１および図２で明瞭なように、上壁板３と底壁板４とを上下に離間して側面を覆う枠体５で保持し固着しており、上壁板３と底壁板４との間に中空部Ｓを形成している。
そして、上壁板３は商品陳列に耐え得る強度の素材からなるパネルを使用しており、底壁板４には、発光素子としての発光ダイオード（ＬＥＤ）を必要照度を確保しうるよう多数実装しており、上下の中空部Ｓを配線スペースに利用している。
【０００８】
上壁板３は、陳列商品を保持しうる強度を有していると共に、パネルの一部（図示例では前方側）または全部に透光パネル３ａとして、例えばガラスやアクリル板等を使用している。
また、底壁板４には、多数の第１取付孔６が縦横に略等間隔に形成されており、前記ＬＥＤの発光部が下向きになるように上記第１取付孔６に嵌め込まれ固定されて下方照明用の発光素子１１となっている。
【０００９】
なお、図３で符号２’は冷蔵用ショーケース１の天板であって、底壁板４’に下方照明用の発光素子１１のみが取り付けられている。
これにより最上段に配置された棚板２の上方を天板２’に設けた下方照明用の発光素子１１で照明することができる。
【００１０】
また、符号２”は冷蔵用ショーケース１の床面であって、前方に透孔パネル３ａ”を敷設しており、その内部空間に反射体１０”を設け、その後方に前方照明用の発光素子１２を設けている。
これにより最下段に配置された棚板２の底壁板４に設けた下方照明用の発光素子１１によって床面２”の上面が照明されると共に、床面２”の上面前方は、前記床面２”に内蔵した前方照明用の発光素子１２によって照明することができる。
【００１１】
次ぎに、上壁板３と底壁板４とで挟まれた中空部Ｓには、棚板２の前方寄りに幅方向に延びる桟となって上記空間を仕切る補強板７が固着されている。
この補強板７には、略等間隔に第２取付孔８が図示例では横１列で略等間隔に形成されており、発光素子としての発光ダイオード（ＬＥＤ）の発光部が前向きになるように上記第２取付孔８に嵌め込まれ固定されて前方照明用の発光素子１２となっている。
【００１２】
図示例の場合、上壁板３は、補強板７の配置に沿って、その前方を透光パネル３ａとして、補強板７の取付個所を含む後方を光が透過しない素材のパネルまたは着色パネル３ｂとの組合せとしている。
そして、棚板２の前記中空部Ｓの前端で、前方照明用の発光素子１２の前方離間位置には、反射体１０が固定されている。
【００１３】
上記反射体１０は、本実施例ではミラーなどの反射板からなっており、前方が高く後方が低くなる傾斜姿勢に保持されている。
従って、上記前方照明用の発光素子１２の光が反射体１０によって上向きに反射され、透光パネル３ａを通って棚板２の上方を照明することができる。
【００１４】
前記下方照明用の発光素子１１と前方照明用の発光素子１２とは、配線Ｈによって接続されており、電源からの給電により発光しうる。
なお、図中、符号９は、配線を棚板２から外側へ通り抜けさせるための孔である。
【実施例２】
【００１５】
図４に示す棚板２は、前記反射体１０の傾斜角度を微調整しうる構成を示す。
この場合は、反射体１０は左右に延びる軸部１０ａを介して棚板２の側面で軸支されている。
そこで、この軸部１０ａを時計方向、または反時計方向に回転し、所定位置でロックする調整機構１０Ａを設けておき、該調整機構１０Ａの操作で、反射体１０の傾斜角度を変位し、これに伴い、前方照明用の発光素子１２の光の照射方向を調整することができる。
【００１６】
調整機構としては、例えば軸部１０ａに歯車を形成しておき、これと噛合する歯車を設けて所望角度に回転する構成、あるいは軸部１０ａを所望角度に変位した後に接着剤などで軸部１０ａを棚板２の側壁に固定するなどの構成であってもよい。
【実施例３】
【００１７】
次ぎに、図５に示す棚板２は、底壁板４に下方照明用の発光素子１１としての白色ＬＥＤを設けず、上壁板３と底壁板４との間の中空部２０に基板１４を略水平に保持・固定して、該基板１４に下方照明用の発光素子１１が発光部を下向きにして取り付けられている。
前記基板１４には、電源と接続するための配線が一体に形成されており、基板１４の所定位置に発光素子１１を取り付けて配線と接続させる。
【００１８】
また、棚板２の底壁板４が、前記下方照明用の発光素子１１の光を透過させる透明または半透明の透光板としてのガラス板やアクリル板などの合成樹脂板からなっており、前記発光素子１１からの下向きの光を透過させている。
また、本実施例では棚板の上壁板３は、透光性を有しなくてもよく、物品を保持しうる強度を有する金属、合成樹脂、木、ガラスなどの素材を適宜に宜用いることができる。
その他の構成は、前記実施例１に準じるので、説明を省略する。
【実施例４】
【００１９】
図６に示す棚板２は、下方照明用の発光素子１１は、実施例２と同様に構成し、前方照明用の発光素子１２は、実施例１と同様に構成した別の実施例を示す。
即ち、この実施例では、上壁板３と底壁板４との間の中空部Ｓに基板１４を略水平に保持・固定して、該基板１４に下方照明用の発光素子１１が発光部を下向きにして取り付けている。
【００２０】
また、この基板１４の前方は垂直に延びて補強板部７’を兼ねており、該補強板部７’には、略等間隔に発光ダイオードの発光部を前向きになるように嵌め込み取り付けて前方照明用の発光素子１２となっている。
更に、棚板２の前記中空部Ｓの前端で、前方照明用の発光素子１２の前方離間位置には、傾斜した反射体１０が固定されている。
【００２１】
また、図示例の場合、上壁３の前方は、前記補強板部７’の配置に沿って、透光パネル３ａとなっており、前記前方照明用の発光素子１２の光が反射体１０によって上向きに反射され、透光パネル３ａを通って棚板２の上方を照明することができる。
また、底壁板４は全面あるいは前方側４を除き下方照明用の発光素子１１の取付位置に対応した面を透明パネルとしている。
その他の構成は、前記各実施例に準じるので、説明を省略する。
【実施例５】
【００２２】
また、図７に示す棚板２は、実施例１の棚板２から反射体１０と前方照明用の発光素子１２とを除き、前方にも下方照明用の発光素子１１を設けた実施例３に準じた異なる実施例を示す。
この場合、上壁板３も底壁板４も光透過性を必要としないので、使用する素材の選択の幅が広がる。
また、中空部Ｓに配線が収納され、底壁板４の後方の孔９から配線の端部を引き出すことができる。
【００２３】
前記各実施例では、発光素子として、白色発光ダイオードを使用したが、白色発光有機ＥＬ素子を用いるものでもよい。
その他、要するにこの発明の要旨を変更しない範囲で種々設計変更しうること勿論である。
【産業上の利用可能性】
【００２４】
上記実施例では、冷蔵または冷凍ショーケースに用いる棚板構造について説明したが、その他の商品陳列装置の棚板や、トイレタリーやキッチン用のキャビネット、家具や飾り棚の棚板構造としても利用することができる。
【図面の簡単な説明】
【００２５】
【図１】棚板の側面から見た断面図である。（実施例１）
【図２】（ａ）は同棚板の平面図、（ｂ）は底面図である。
【図３】冷蔵ショーケースに用いた場合の一部を側面から見た断面図である。
【図４】反射体の角度を調整しうる異なる実施例の側面から見た断面図である。（実施例２）
【図５】棚板の異なる実施例を示す側面から見た断面図である。（実施例３）
【図６】棚板の更に別の実施例を示す側面から見た断面図である。（実施例４）
【図７】棚板の別の実施例を示す側面から見た断面図である。（実施例５）
【符号の説明】
【００２６】
１    冷蔵用ショーケース
２    棚板
３    上壁板
３ａ  透光パネル
４    底壁板
５    枠体
６    第１取付孔
７    補強板
８    第２取付孔
１０    反射体
１１    下方照明用の発光素子
１２    前方照明用の発光素子
Ｓ    中空部
【図１】
2005285701.tif 000003
【図２】
2005285701.tif 000004
【図３】
2005285701.tif 000005
【図４】
2005285701.tif 000006
【図５】
2005285701.tif 000007
【図６】
2005285701.tif 000008
【図７】
2005285701.tif 000009